(57)【要約】      （修正有）【課題】施工が容易で、大量生産が可能で、安価なパネルを使用すると共に、固定部材や押さえ部材の隙間からの漏水を十分に防ぐことができ、地震により破壊され難く、異臭を発生することによる環境に負担をかけることがないビルの屋上構造を提供する。【解決手段】ビルの屋上構造は、四辺形のパネルをビルの屋上に敷きつめたビルの屋上構造であり、パネルの四辺に一定幅で平坦なフランジ部１９を形成し、フランジ部の内側を一以上の区画に分け、区画の中に、所定の傾斜角度で隆起させた稜線で形成する錐体状の凸形のパネル面２０を形成し、パネルは硬質樹脂からなる表皮２４を有し、表皮の裏面に発泡樹脂からなる断熱層を設け、断熱層の裏面には、多数の突起を形成し、屋上の床面との間に多くの通気層を形成し、敷きつめた該パネルの隣り合うフランジ部全体を覆う振動吸収性防水塗膜３８を形成する。【選択図】図６
2019138039.tif 000002
【特許請求の範囲】
【請求項１】
四辺形のパネルをビルの屋上に敷きつめたビルの屋上構造であり、
該パネルの四辺に一定幅で平坦なフランジ部を形成し、
該フランジ部の内側を一以上の区画に分け、
該区画の中に、所定の傾斜角度で隆起させた稜線で形成する錐体状の凸形のパネル面を形成し、
該パネルは硬質樹脂からなる表皮を有し、該表皮の裏面に発泡樹脂からなる断熱層を設け、該断熱層の裏面には、多数の突起を形成し、屋上の床面との間に多くの通気層を形成し、
敷きつめた該パネルの隣り合うフランジ部全体を覆う振動吸収性防水塗膜を形成することを特徴とするビルの屋上構造。
【請求項２】
前記振動吸収性防水塗膜を二以上の振動吸収性防水塗膜が重ねられた多層構造として形成することを特徴とする請求項１に記載のビルの屋上構造。
【請求項３】
前記振動吸収性防水塗膜を形成する材料が、ウレタンゴムであることを特徴とする請求項１又は２に記載のビルの屋上構造。
【請求項４】
前記フランジ部の内側周縁に沿って、該内側周縁から、前記パネル面の傾斜角度より急な傾斜角度で隆起させた排水パネル面を形成し、
該排水パネル面の上側周縁に沿って平坦な補強フランジ部を形成し、
前記区画が二以上の場合には、各区画の対向する周縁の間にも、該補強フランジ部に繋がる平坦な補強フランジ部を形成し、
該各区画の内側に、前記パネル面の傾斜角度より急な傾斜角度で該補強フランジ部から立ち上がる斜面を形成し、
該斜面の上側端縁から前記稜線を隆起させて錐体状の凸形のパネル面を形成することを特徴とする請求項１〜３のいずれかに記載のビルの屋上構造。
【請求項５】
前記敷きつめたパネルの隣り合うフランジ部間に形成された目地の上、及び押え板の上を覆う絶縁シートを貼着し、その上に前記振動吸収性防水塗膜を形成することを特徴とする請求項1〜４のいずれかに記載のビルの屋上構造。
【請求項６】
前記敷きつめたパネルの露出している表面及び振動吸収性防水塗膜の露出している表面に遮熱塗料を塗布することを特徴とする請求項１〜５のいずれかに記載のビルの屋上構造。  
【発明の詳細な説明】
【技術分野】
【０００１】
本発明は、本発明は、ビルの屋上構造の改良に関する。
【背景技術】
【０００２】
ビルの屋上には、一般的に防水パネルが敷きつめられる。また、ビルの屋上、特に高層ビルにおいては、通常時においても相当に強い風が発生している。そして、台風時においても、敷きつめられた防水パネルが剥がれないようにしなければならない。そして更に、パネル自体が安価であり、かつ、施工が容易であることが要求される。  
【０００３】
従来のビルの屋上の構造として、例えば特開平３−８７４６７号公報（特許文献１）に開示されたものがある。その概略を図８に示して説明すると、パネル１ａは表面材２と裏面材３との間に断熱材４を設けている。そして、パネル１ａの目地９の部分は、互いにアリ溝状に係合した複雑な形状になっている。また、目地カバー取付け具５をそれぞれねじ７で固定し、目地９の部分にシールを目的としたコーキング材を充填しながら、パネル１ａを敷きつめてアンカボルト８でビル屋上の床面に固定し、目地カバー６を目地カバー取付け具５に嵌着するようにしている。  
【０００４】
また、他の従来例として、特開平９−２７９７１３号公報（特許文献２）に開示されたものがある。その概略を図９に示して説明すると、パネル１ｂの表面材２は、ボード１１の掛け渡しが可能なように、かつ、アンカボルト８の頭部が入るように凹凸面を形成している。また、この凹凸面の部分には、アンカボルト８の固定力を保持するために、芯材１３が断熱材４内に埋設されている。そしてまず、屋上床面１０に目地板１４をアンカボルト１５で固定し、次にパネル１ｂをこの目地板１４に合わせて敷きつめ、目地９にシール材を充填し、アンカボルト８にてパネル１ｂを屋上床面１０に固定する。次に、両端に目地カバー取付け具５を設けたボード１１を、パネル１ｂの段部に掛け渡すようにして、アンカボルト１２にて屋上床面１０に固定し、目地カバー６を目地カバー取付け具５に嵌着するようにしている。  
【０００５】
次に、図１０に示す従来例において、屋上床面１０と垂直壁１６との間に設ける隅パネル１７は、屋上床面１０から垂直壁１６にかけて沿うように、小さな曲率半径でほぼ９０度に曲げられている。そして、矢印Ａで示すように、空気が抜けるようになっている。  
【０００６】
上記従来例においてはいづれも、パネルの目地を形成する部分の形状が複雑であり、特に図８に示す従来例にあっては、目地の部分がメスとオスの係合になっていることから、パネル成形用金型が複雑で、かつ、二種類の金型が必要になり、高価なパネルになるという問題がある。また、このような複雑な形状をしたパネルを定形化した四辺形のパネルにして、屋上床面に敷きつめた場合に、四枚のパネルの角を互いに突き合わせた目地の部分が複雑になって、実質的に四辺形のパネルに定形化するのは不可能である。そのため、パネル自体は大型になって大量生産するのが困難になり、高価なパネルになるという問題がある。  
【０００７】
また、実際の施工に際して、目地カバー、目地カバー取付け具、多数のアンカボルト、シール材の充填など部品点数が多くなって、施工工数が多くなり、ビル屋上構造として高価なものになるという問題がある。また、図１１に示す従来例にあっては、目地板１４をアンカボルト１５で先に固定しなければならない。したがって、もしもこの目地板１５の位置が不正確であった場合には、屋上床面１０のコンクリートをはつり、アンカボルト１５を抜いて、はつった部分を埋め戻し、改めて正規の位置にアンカボルト１５を打ち直すといった作業が必要になり、施工性の点で問題がある。  
【０００８】
次に、図１０に示す従来例において、矢印ＢまたはＣ方向の風が吹いた場合に、矢印で示すような渦流がコーナ部に発生する。そして、コーナ部Ｄが負圧になる。この負圧によって、隅パネル１７には垂直壁１６から剥離する方向に力Ｆが働くことになる。そして、隅パネル１７は小さな曲率半径でほぼ直角に折り曲げられているので、垂直壁１６に沿って設けられている隅パネル１７は、力Ｆ方向に曲がり易く、この部分が剥離する可能性が大きいという問題がある。そして、一旦隅パネル１７が剥離した場合には、隅パネル１７全体が剥離し、ついには屋上床面１０のパネル１も剥離してしまうという問題がある。
【０００９】
前記パネルの問題点を解決したパネルを用いたビルの屋上構造として、特開２００１−０２７０１７号公報（特許文献３）に開示されたものがある。このものは、パネルの形状を単純化することにより、安価かつ大量生産を可能にし、角錐状の凸形のパネル面を形成し、パネルを敷きつめた屋上の表面を凹凸面にして、風の強さを和らげることにより、風による隅パネルの剥離を防止することができ、パネルは硬質樹脂からなる表皮の裏面に発泡樹脂からなる断熱層を設けた単純な構造であるので、安価なパネルにすることができる。さらに、パネルの裏面には、多数の突起が形成されており、屋上の床面との間に多くの通気層を形成することにより、ビル屋上の床面のコンクリートから蒸発する水分を含んだ空気を逃がし、水蒸気圧によるパネルの膨らみを防止するという優れた効果を有するものである。
【００１０】
しかし、特開２００１−０２７０１７号公報（特許文献３）に開示されたパネルは、隣合うフランジ間の目地や押さえ部材の隙間からの漏水を十分に防ぐことができないという問題があり、さらに地震により破壊され易いという問題を有するものであつた。
【００１１】
この問題を解決するために、特許文献４（特開２０１８−００９４３５）においては、敷きつめたパネルの隣り合うフランジ部全体を覆う補強材（ガラス繊維強化プラスチック）を貼着し、その上に振動吸収材（硬質ウレタン）を補強材を覆うように貼着することが開示されている。  
【先行技術文献】
【特許文献】
【００１２】
【特許文献１】特開平３−８７４６７号公報
【特許文献２】特開平９−２７９７１３号公報
【特許文献３】特開２００１−０２７０１７号公報
【特許文献４】特開２０１８−００９４３５号公報
【発明の概要】
【発明が解決しようとする課題】
【００１３】
しかし、特許文献４に開示されているビルの屋上構造は、漏水を防ぐと共に、地震により容易には破壊されないものであるが、施工時に異臭が発生し、環境に負担をかけるという問題を有するものであることを、本発明者は発見した。即ち、ガラス繊維強化樹脂は、通常、ガラス繊維で補強した不飽和ポリエステル樹脂であり、不飽和ポリエステル樹脂は、無水マレイン酸とグリコールの縮合反応により得られるポリエステルを、スチレンモノマー、メチルメタクリレートなどに溶解したものを施工時に加熱硬化させる樹脂なので、施工後にスチレンモノマーなどが環境中に逸散し、悪臭により環境に被害を与えるおそれがあるものであることを本発明者は発見した。
【００１４】
本発明は、施工が容易で、大量生産が可能で、安価なパネルを使用すると共に、固定部材や押さえ部材の隙間からの漏水を十分に防ぐことができ、地震により破壊され難く、異臭を発生することによる環境に負担をかけることがないビルの屋上構造を提供することを課題とするものである。
【課題を解決するための手段】
【００１５】
上記課題を解決するための、請求項１の記載から把握されるビルの屋上構造は、
四辺形のパネルをビルの屋上に敷きつめたビルの屋上構造であり、
該パネルの四辺に一定幅で平坦なフランジ部を形成し、
該フランジ部の内側を一以上の区画に分け、
該区画の中に、所定の傾斜角度で隆起させた稜線で形成する錐体状の凸形のパネル面を形成し、
該パネルは硬質樹脂からなる表皮を有し、該表皮の裏面に発泡樹脂からなる断熱層を設け、該断熱層の裏面には、多数の突起を形成し、屋上の床面との間に多くの通気層を形成し、
敷きつめた該パネルの隣り合うフランジ部全体を覆う振動吸収性防水塗膜を形成することを特徴とする。
【００１６】
次に、請求項２に記載から把握されるビルの屋上構造は、前記振動吸収性防水塗膜を二以上の振動吸収性防水塗膜が重ねられた多層構造として形成することを特徴とする。
【００１７】
次に、請求項３に記載から把握されるビルの屋上構造は、前記振動吸収性防水塗膜を形成する材料が、ウレタンゴムであることを特徴とする。
【００１８】
次に、請求項４に記載から把握されるビルの屋上構造は、前記フランジ部の内側周縁に沿って、該内側周縁から、前記パネル面の傾斜角度より急な傾斜角度で隆起させた排水パネル面を形成し、
該排水パネル面の上側周縁に沿って平坦な補強フランジ部を形成し、
前記区画が二以上の場合には、各区画の対向する周縁の間にも、該補強フランジ部に繋がる平坦な補強フランジ部を形成し、
該各区画の内側に、前記パネル面の傾斜角度より急な傾斜角度で該補強フランジ部から立ち上がる斜面を形成し、
該斜面の上側端縁から前記稜線を隆起させて錐体状の凸形のパネル面を形成することを特徴とする。
【００１９】
次に、請求項５の記載から把握される手段は、敷きつめた該パネルの隣り合うフランジ部間に形成された目地の上、及び押え板の上を覆う絶縁シートを貼着し、その上に前記振動吸収性防水塗膜を形成することを特徴とする。
【００２０】
次に、請求項６の記載から把握される手段は、敷きつめたパネルの露出している表面、及び振動吸収性防水塗膜の露出している表面に遮熱塗料を塗布することを特徴とする。
【００２１】
次に、各請求項の記載から把握される手段によって、課題がどのように解決されるかについて説明する。まず、請求項１の記載から把握される手段において、四辺形のパネルをビルの屋上に敷きつめることにより、パネルを定形化し、そして、パネルの四辺に一定幅で平坦なフランジ部を形成することにより、パネルの形状を単純化すると共に、突き合わせた隣合うパネルのフランジを押さえて固定することができる。
【００２２】
更に、フランジ部内側が一以上の区画に分けられ、各区画の内側に、所定の傾斜角度で隆起させて稜線で形成する錐体状の凸形のパネル面を形成し、パネルを敷きつめた屋上の表面を凹凸面にして抵抗を大きくすることにより、風の強さを和らげることができる。そして、パネルは硬質樹脂からなる表皮の裏面に発泡樹脂からなる断熱層を設けた単純な構造を有するものとする。さらに、断熱層の裏面には、多数の突起が形成されており、屋上の床面との間に多くの通気層を形成することにより、ビル屋上の床面のコンクリートから蒸発する水分を含んだ空気を逃がし、水蒸気圧によるパネルの膨らみを防止することができる。
【００２３】
さらに、敷きつめたパネルの隣り合うフランジ部全体を覆う振動吸収性防水塗膜をビルの屋上構造全体にわたって形成し、貼着することにより、雨が降った場合にフランジ間や押さえ部材の隙間などからの漏水が効果的に防止され、さらに大きな地震が起きた場合であっても、振動吸収性防水塗膜が地震の揺れを吸収するので、パネルの破壊を効果的に防ぐことができる。特許文献４においては、ガラス繊維強化樹脂からなる補強材を、隣り合うフランジ部全体を覆うように貼着し、その上に硬質ウレタンからなる振動吸収材を貼着しているが、本発明においては、振動吸収性防水塗膜を形成するだけで、耐震性及び帯電防止性を発現することができる。さらに、振動吸収性防水塗膜を形成する材料として、異臭を発生しない材料を選択すれば、環境に易しいビルの屋上を構築することができる。
【００２４】
振動吸収性防水塗膜を形成する材料としては、ウレタンゴム、ポリマーセメント（ＥＶＡ、ＳＢＲ，メタクリル樹脂）、アクリルゴムを用いることができる。これらの中では、振動吸水性に優れ、レべリングが容易なことから、ウレタンゴムが好ましい。
【００２５】
次に、請求項２の記載から把握される手段によれば、前記振動吸収性防水塗膜を二以上の振動吸収性防水塗膜が重ねられた多層構造として形成することにより、多層構造の振動吸収性防水塗膜のどれかが破損しても、全体として、漏水が効果的に防止される。例えば振動吸収性防水塗膜のどれかに亀裂が入り、その亀裂が大きく広がって損傷し防水性が損なわれることがあっても、亀裂が他方の振動吸収性防水塗膜には広がらないので、振動吸収性防水塗膜全体としての防水性が確保される。
なお、以下の説明において、多層違構造として、第一の振動吸水性防水塗膜と第二の振動吸水性防水塗膜とが重ねられた二層構造の例について説明するが、本発明は二層に限定されるものではない。
【００２６】
次に、請求項３の記載から把握される手段によれば、振動吸収性防水塗膜を形成する材料として、ウレタンゴムが使用されており、ウレタンゴムは、ガラス繊維強化樹脂とは異なり、異臭を発生させることがないので、本発明のビルの屋上構造は環境に優しいものである。さらに、ウレタンゴムは振動吸水性に優れ、レベリング性に優れることから、表面平滑な振動吸収性防水塗膜を形成し、貼着することができる。形成された振動吸収性防水塗膜は、雨が降った場合にフランジ間や押さえ部材の隙間などからの漏水の防止、大きな地震が起きた場合における、振動吸収性を効果的に発現する。
ものの、
【００２７】
次に、請求項４の記載から把握される手段によれば、前記フランジ部の内側周縁に沿って、該内側周縁から、前記パネル面の傾斜角度より急な傾斜角度で隆起させた排水パネル面を形成することにより、排水パネル面とフランジ部とで囲まれた凹部が形成されるので、排水が効率よく行われ、振動吸水性防水塗膜、特に後述するウレタンゴムを用いた振動吸収性防水塗膜を容易に形成することができる。
【００２８】
さらに、前記排水パネル面の上側周縁に沿って平坦な補強フランジ部を形成し、前記区画が二以上の場合には、各区画の対向する周縁の間にも、該補強フランジ部に繋がる平坦な補強フランジ部を形成するので、パネル全体の強度が向上する。
さらに、各区画の内側に、該補強フランジ部から前記パネル面の傾斜角度より急な傾斜角度で立ち上がる斜面を形成し、該斜面の上側端縁から前記稜線を隆起させて錐体状の凸形のパネル面を形成することにより、該斜面と該補強フランジ部とが凹部を形成するので、パネル面から流れてきた雨水は効率よく排水される。
【００２９】
次に、請求項５の記載から把握される手段によれば、前記敷きつめたパネルの隣り合うフランジ部間の目地の上、及び押え板の上を覆う絶縁シートを貼着することにより、振動吸収性防水塗膜をウレタンゴムを用いて形成する場合、ウレタン原液が、パネル間の隙間やアンカボルトを打ち込んだ隙間などから漏出することを防止することができる。また、雨水の漏水をより確実に防ぐことができる。絶縁シートとしては、塩ビシートやゴムシートを用いることができる。
【００３０】
次に、請求項６の記載から把握される手段によれば、敷きつめられたパネルの露出している表面、及び振動吸収性防水塗膜の露出している表面に遮熱塗料をビルの屋上構造全体にわたって塗布することにより、遮熱塗料が紫外線を吸収するので、ビルの屋上構造の耐久性を向上させることができる。  
【発明の効果】
【００３１】
請求項１の記載に基づいて、発明の詳細な説明から把握される本発明によれば、四辺形のパネルをビルの屋上に敷きつめるようにして、パネルを定形化し、パネルの四辺に一定幅で平坦なフランジ部を形成し、パネルの形状を単純化することにより、大量生産を可能にして安価なパネルにすることができる。更にフランジ部の内側を一以上の区画に分け、各区画において、排水パネル面の傾斜角度より緩い傾斜角度で隆起させて稜線で形成する角錐状の凸形のパネル面を形成し、パネルを敷きつめた屋上の表面を凹凸面にして、風の強さを和らげることができるので、風による隅パネルの剥離を防止し、しいては屋上全体のパネルの剥離を防止することができる。そして、パネルは硬質樹脂からなる表皮の裏面に発泡樹脂からなる断熱層を設けた単純な構造であるので、安価なパネルにすることができる。さらに、パネルの裏面には、多数の突起が形成されており、屋上の床面との間に多くの通気層を形成することにより、ビル屋上の床面のコンクリートから蒸発する水分を含んだ空気を逃がし、水蒸気圧によるパネルの膨らみを防止することができる。
【００３２】
また、敷きつめたパネルの隣り合うフランジ部全体を覆う振動吸収性防水塗膜を設けているので、振動吸収性防水塗膜が効果的に漏水を防止し、さらに大きな地震が起きた場合でも、振動吸収性防水塗膜が地震の揺れを吸収するのでパネルの破壊を防止することができる。振動吸収性防水塗膜は、漏水の防止と耐震性を共に備えるものであり、特許文献４に開示されているビルの屋上構造に比べ、異臭を発生することが無い上に、ガラス繊維強化樹脂を使用しない分、厚い振動吸収性防水塗膜を形成できるので、より耐震性に優れるものである。
なお、特許文献４に開示されている、ガラス繊維強化樹脂を用いた補強材は初期硬化を有するので、施工時間が短くてすむ。それに比べると、補強材を形成、貼着することなく、振動吸収性防水塗膜を形成する工法は、施工に時間がかかるという欠点がある。しかし、異臭を発生することがないという効果、より優れる耐震性が得られるという、より大きな効果が得られることに本発明者は着目し、振動吸収性防水塗膜のみを形成するという構成を採用したものである。
【００３３】
請求項２の記載に基づいて、発明の詳細な説明から把握される本発明によれば、振動吸水性防水塗膜が二以上の振動吸水性防水塗膜が重ねられた多層構造として形成されているので、どれかの層の振動吸収性防水塗膜が破損しても、全体として、漏水の効果的な防止、地震の揺れの吸収性が失われることがない。
【００３４】
請求項３の記載に基づいて、発明の詳細な説明から把握される本発明によれば、振動吸収性防水塗膜を形成する材料として、ウレタンゴムが使用されているので、雨が降った場合にフランジ間や押さえ部材の隙間などからの漏水の防止、大きな地震が起きた場合における、振動吸収性が効果的に発現する。また、ウレタンゴムはレベリング性に優れているので、完成した振動吸収性防水塗膜は表面平滑性に優れたものである。更に、ウレタンゴムからはスチレンモノマーなどが揮散することによる異臭が発生することがないので、環境に優しいビルの屋上が提供される。なお、ウレタンゴムには、軟質ウレタンゴムと硬質ウレタンゴムがあり、適宜どちらかを選んで用いることができる。なお、ウレタンゴムは、特許文献４に開示されているガラス繊維強化樹脂と異なり初期硬化が起きないので、施工に時間がかかるという欠点がある。しかし、ウレタンゴムを用いることにより得られる、異臭を発生することがないという効果に加え、より優れる耐震性が得られるというより大きな効果が得られることに本発明者は着目し、ウレタンゴムで振動吸収性防水塗膜を形成するという構成を採用したものである。
【００３５】
請求項４の記載に基づいて、発明の詳細な説明から把握される本発明によれば、パネル面より傾斜角度が急な排水パネル面が、フランジ部の内側周縁に沿って設けられていることにより、排水パネル面とフランジ部とで囲まれた凹部が形成されるので、排水が効率よく行われ、振動吸水性防水塗膜、特に後述するウレタンゴムを用いた振動吸収性防水塗膜を容易に形成することができる。
【００３６】
また、排水パネル面の上側周縁に沿って平坦な補強フランジ部を形成し、該補強フランジ部の内側が二以上の区画に分けられている場合には、各区画の対向する周縁の間にも、排水パネル面の上側周縁に沿った補強フランジ部に繋がる補強フランジ部を形成しているので、パネルの強度が向上し、パネル面から流れてきた雨水を効率よく排水することができる。
【００３７】
請求項５の記載に基づいて、発明の詳細な説明から把握される本発明によれば、敷きつめたパネルのフランジ部間に形成された目地の上、及び押え板の上を覆う絶縁シートを貼着するので、雨水の漏水を防ぐことができる。また、絶縁シートが貼着された部分は、パネル本体と前記振動吸収性防水塗膜が直接接着していないので、地震の際に、パネル本体の動きに追随することなく自由に動くことができるので、振動吸収性が向上する。なお、ガラス繊維強化樹脂を用いた補強材であれば、絶縁シートをすることなく該目地の上などをガラス繊維強化樹脂で直接覆う工法を採用しても、ガラス繊維強化樹脂は初期硬化を有するので、樹脂が目地などから漏出する可能性は小さい。これに対し、施工の容易さから液状の材料用いてアクリルゴム製やウレタンゴム製の振動吸収性防水塗膜を目地の上に直接形成すると、特にウレタンゴム製の振動吸収性防水塗膜をウレタン原液を用いて形成すると、これらの材料は初期硬化が起きないので、液体の漏出が起きる可能性がある。この漏出を防ぐためには、絶縁シートを貼着することが好ましい。
【００３８】
次に、請求項６の記載に基づいて、発明の詳細な説明から把握される本発明によれば、敷きつめられたパネルの露出している表面、及び振動吸収性防水塗膜の露出している表面に遮熱塗料を塗布することにより、遮熱塗料が紫外線を吸収するのでパネル構造の劣化が防止され、耐久性が向上し、従来約５年であった使用可能期間が２倍程度長くなり、約１０年になる。
【図面の簡単な説明】
【００３９】
【図１】本発明の一実施例であるパネルの平面図である。
【図２】図１に示すパネルの裏面図である。
【図３】図１のパネルを敷きつめて、アンカボルトでビル屋上の床面に固定した状態のビルの屋上構造の一例を示す平面図である。
【図４】本発明の一実施例であって、排水用パネル面とフランジ部により形成される凹部であって、凹部の底に絶縁シートが貼着された状態を示す縦断面図である。
【図５】図１のパネルを敷きつめて、アンカボルトでビル屋上の床面に固定し、フランジ部間の目地の上、及び押え板の上を覆う絶縁シートを貼着した状態のビルの屋上構造の一例を示す平面図である。
【図６】排水用パネル面とフランジ部により形成される凹部であって、絶縁シートと一層の振動吸収性防水塗膜が貼着された状態の一例を示す縦断面図である。
【図７】排水用パネル面とフランジ部により形成される凹部であって、絶縁シートと第一の振動吸収性防水塗膜と第二の振動吸収性防水塗膜とからなる二層の振動吸収性防水塗膜が形成された状態の一例を示す縦断面図である。
【図８】従来例を示す図である。
【図９】他の従来例を示す図である。
【図１０】従来の角部構造を示す模式図である。
【発明を実施するための形態】
【００４０】
以下、本発明の実施の形態について説明する。先ず、請求項１の記載から把握される本発明の実施の形態においては、図３に示すように、本発明は、四辺形のパネル１８をビルの屋上床面１０に敷きつめたビルの屋上構造であり、図１に示すように、パネル１８の四辺に一定幅で平坦なフランジ部１９を形成する。フランジ部１９の内側は、一以上の区画に分けられ、該区画の中に、所定の傾斜角度で隆起させた稜線２３で形成する錐体状の凸形のパネル面２０が形成されている。なお、区画の数は、対象性の観点から、偶数が好ましく、全ての区画を正方形にするためには４ｎ（ｎは整数）がより好ましい。
【００４１】
パネル１８においては図４に示すように、硬質樹脂からなる表皮２４の裏面に発泡樹脂からなる断熱層２５を設け、図４に示すようにパネル１８の裏面（断熱層２５の裏面）には、突起２５ａを形成し、屋上の床面１０との間に多くの通気層２５ｂを形成している。
【００４２】
また、図６に示すように、敷きつめたパネルの隣り合うフランジ部１９ａ、１９ｂ全体を覆うように振動吸収性防水塗膜３８を、一方の排水用パネル面３５ａから他方の排水用パネル面５ｂまでを覆うようにビルの屋上構造全体にわたって形成し、貼着している。第一の振動吸収性防水塗膜としては、施工時に異臭を発生することがないものを選択する必要があり、例えばウレタンゴムが好ましく用いられる。
【００４３】
次に、請求項２の記載から把握される本発明の実施の形態においては、図７に示すように、敷きつめたパネルの隣り合うフランジ部１９ａ、１９ｂ全体を覆うように第一の振動吸収性防水塗膜３８ａを、一方の排水用パネル面３５ａから他方の排水用パネル面５ｂまでビルの屋上構造全体にわたって形成し、第二の振動吸収性防水塗膜３８ｂを第一の振動吸収性防水塗膜３８ａを覆うように形成している。第二の振動吸収性防水塗膜としては、施工時に異臭を発生することがないものを選択する必要があり、例えばウレタンゴムが好ましく使用される。
【００４４】
ウレタンゴムからなる振動吸収性防水塗膜は、ポリイソシアネート成分、ポリアミン成分、ポリオール成分等を含むウレタン原液を、フランジ部１９と排水パネル面３５とにより形成される凹部の底を覆うように塗布し、重合反応させて硬化させることにより形成することができる。
【００４５】
次に、請求項３の記載から把握される本発明の実施の形態においては、前記振動吸収性防水塗膜を形成する材料が、ウレタンゴムであることにより、振動吸収性、表面平滑性に優れ、施工時に異臭を発生することがなく環境に優しい振動吸収性防水塗膜を形成することができる。
【００４６】
次に、請求項４の記載から把握される本発明の実施の形態においては、図１、図４に示すように、前記フランジ部１９の内側周縁１９ｃからパネル面２０の傾斜角度より急な傾斜角度で隆起させた排水パネル面３５を形成している。
【００４７】
また、図１、図４に示すように、排水パネル面３５の上側周縁３５ｃに沿って平坦な補強フランジ部３６ａを形成し、前記区画が二以上の場合には、各区画の対向する周縁の間にも、補強フランジ部３６に繋がる平坦な補強フランジ部３６ｂを形成している。
【００４８】
また、図１、図４に示すように、前記各区画の内側に、補強フランジ部３６からパネル面２０の傾斜角度より急な傾斜角度で立ち上がる斜面３７を形成し、斜面３７の上側端縁３７ｃから稜線２３を隆起させて錐体状の凸形のパネル面２０を形成している。
【００４９】
次に、請求項５の記載から把握される本発明の実施の形態においては、図４、図５、図６、図７に示すように、敷きつめたパネル１８の隣り合うフランジ部１９間の目地の上、押さえ板２８（２８ａ、２８ｂ）の上を覆う絶縁シート３０を貼着している。なお、図５は、縦方向にのみ絶縁シート３０を貼着した状態を示す平面図であり、最終的には、横方向にも縁シート３０を貼着し、パネルの角におけるフランジ部１９が直交する部分においては、縦方向に貼着された絶縁シート３０と横方向に貼着された絶縁シートとを二層に貼着する。なお、図６、図７に示す形態においては、絶縁シート３０が貼着された場合について図示されているが、本発明においては、絶縁シート３０の貼着を省略して、敷きつめたパネルの隣り合うフランジ部１９ａ、１９ｂ全体を覆うように振動吸収性防水塗膜を直接形成することができる。
【００５０】
次に、請求項６の記載から把握される本発明の実施の形態においては、敷きつめられたパネルの露出している表面、振動吸収性防水塗膜の露出している表面に遮熱塗料がビルの屋上構造全体にわたって塗布する（図示せず）。
【実施例１】
【００５１】
以下、本発明の一実施例について説明する。図１はパネル１８の正面図であり、概略正方形である。そして、四辺には平らなフランジ部１９が形成されている。フランジ部１９の幅は６５ｍｍ、厚みは２ｍｍとした。ただし、外周縁の強度を向上させるという本発明の目的が損なわれない限り、寸法を変更することができる。  
【００５２】
図１、図４、図６、図７に示すように、フランジ部１９の内側には、その周縁１９ａに沿って、内側周縁１９ｃから、雨水を排水可能な傾斜角度で隆起する排水パネル面３５が形成され、図４、図６、図７に示すように、排水パネル面３５ａと、排水パネル面３５ａに対向する排水パネル面３５ｂと、フランジ部１９とが凹部を形成することにより、雨が降っても、雨が貯まることなく流れ易くなっている。また、ウレタンゴムを用いた振動吸収性防水塗膜を容易に形成することができる。
なお、図４、図６、図７は、排水用パネル面３５とフランジ部１９により形成される凹部の断面図である。
【００５３】
図１に示すように、排水パネル面３５の上側周縁３５ｃに沿って平坦な補強フランジ部３６ａが形成され、補強フランジ部３６ａの内側が１６の区画に分けられ、各区画の対向する周縁の間にも、平坦な補強フランジ部３６ｂが形成されている。補強フランジ部３６が設けられていることにおり、パネル１８の強度が向上する。
【００５４】
１６の区画の各々の内部には、補強フランジ部３６から立ち上がる斜面３７が形成され、斜面３７の上側周縁３７ｃから排水パネル面３５の傾斜角度より緩い傾斜角度で隆起させた稜線２３で形成する四角錐状の凸形のパネル面２０が形成されている（図１）。
パネル面２０の表面には凹凸が施されている。斜面３７と対向する斜面３７と補強フランジ部３６ｂとが凹部を形成しているので、雨水の排水を容易に行うことができる。また、パネル面２０を四角錐状の凸形にすると共に、パネル表面２０に凹凸を設けることにより、パネル１８を敷きつめた全体の屋上の凹凸を大きくし、屋上面を吹き抜ける風に対する抵抗を大きくして、隅パネルにかかる負圧力を軽減することができる。
【００５５】
図２は図１の裏面図であり、図４にも示すようにパネル１８の裏面には、突起２５ａが形成されており、屋上の床面１０との間に多くの通気層２５ｂを形成し、ビル屋上の床面１０のコンクリートから蒸発する水分を含んだ空気を逃がすことによって、水蒸気圧によるパネル１８の膨らみを防止する。また、大きな突起２５ｃを設け（本実施例では９個）、パネル１８の上面にかかる荷重に対する強度を持たせるようにしている。
【００５６】
図４、図５、図６、図７に示す態様の実施例においては、敷きつめたパネルの隣り合うフランジ部１９ａとフランジ部１９ｂが突きあわされることにより形成された目地の上を覆う絶縁シート３０が貼着されている。但し、絶縁シート３０の貼着は省略することができる。
【００５７】
図６に示す態様の実施例においては、隣り合うフランジ部１９ａ、１９ｂと対向する排水用パネル面３５ａ、３５ｂにより凹部が形成され、凹部の底において隣り合うフランジ部１９ａとフランジ部１９ｂとが突き合わされて形成された目地を覆うように絶縁シート３０が貼着され、その上に振動吸収性防水塗膜３８が一方の排水用パネル面３５ａから、他方の排水用パネル面３５ｂまで、フランジ部１９ａ、１９ｂ全体を覆うように形成されている。絶縁シート３０が貼着されていることにより、振動吸収性防水塗膜をウレタンゴムで形成する際に、ウレタン原液がフランジ部１９ａとフランジ部１９ｂを突きあわされた隙間から漏れることを防止することができる。
【００５８】
図７に示す態様の実施例においては、隣り合うフランジ部１９ａ、１９ｂと対向する排水用パネル面３５ａ、３５ｂにより凹部が形成され、凹部の底において隣り合うフランジ部１９ａとフランジ部１９ｂとが突き合わされて形成された目地を覆うように絶縁シート３０が貼着され、その上に第一の振動吸収性防水塗膜３８ａが一方の排水用パネル面３５ａから、他方の排水用パネル面３５ｂまで、フランジ部１９ａ、１９ｂ全体を覆うように形成されている。更に、第一の振動吸収性防水塗膜３８ａを覆うように、第二の振動吸収性防水塗膜３８ｂが一方の排水用パネル面３５ａから、他方の排水用パネル面３５ｂまで形成されている
なお、第一の振動吸収性防水塗膜３８ａと第二の振動吸収性防水塗膜３８ｂとをあわせた厚みと、図６に示す、一層の振動吸収性防水塗膜３８の厚みとは同じにすることが好ましい。
【００５９】
図３に示す態様においては、パネル１８を敷きつめ、パネル１８の角にアンカボルトを打ち込んで、アンカボルトの頭２７ａと押え板２８ａでフランジ部１９を押え付けて四枚のパネルを固定し、パネルの外周側面が向い合っている中間の部分にアンカボルトを打ち込んで、アンカボルトの頭２７ｂと押え板２８ｂでフランジ部１９を押え付け、一枚のパネルに合計８個のアンカボルトを打ち込むことにより、隣り合うパネル１８を固定している。
【００６０】
図示はしないが、敷きつめられたパネルの露出している表面、及び振動吸収性防水塗膜の露出している表面に遮熱塗料が塗布されている。
【００６１】
以上のように構成した本実施例の作用について次に説明する。図３に示すように四辺形のパネル１８をビルの屋上床面１０に敷きつめ、互いの平らなフランジ部１９の角部を一つの押さえ板２８で固定することにより、パネル１８を定形化した単純な形状にすることができる。そして、図１に示すように、パネル１８の四辺に一定幅で平坦なフランジ部１９を形成した形状にすることにより、パネル１８の形状を単純化し、更にフランジ部１９の内側には、特定の稜線２３で形成する四角錐状の凸形のパネル面２０を形成することにより、パネル１８を敷きつめた屋上の表面は凹凸面になり、屋上を吹き流れる風の抵抗を大きくして、風の強さを和らげることができる。そして、パネル１８は硬質樹脂からなる表皮２４の裏面に発泡樹脂からなる断熱層２５を設けた単純な構造にすることにより定形化できる。
【００６２】
フランジ部１９の内側に、稜線２３で形成する角錐状の凸形のパネル面２０が一以上形成されているので、パネル１８を敷きつめた屋上の表面は凹凸面になり、屋上を吹き流れる風の抵抗を大きくして、風の強さを和らげることができる。
【００６３】
図１に示すように、フランジ１９の内側に形成された各区画の内側には、凸状のパネル面２０が形成されているので、雨水がパネル面２０に貯まることがない。さらに、パネル面２０の下部には、パネル面２０で形成された凸部を囲むように斜面３７が設けられており、斜面３７の下部には、平坦な補強フランジ部３６が設けられており、対向する二つの斜面と補強フランジ部３６とで凹部を形成しているので、パネル面２０を下ってきた雨水は、斜面３７を下って流れ、さらに該凹部を流れ、排水パネル面３５に流れ込むので、効率的な排水が可能である。また、補強フランジ部３６が設けられることによりパネル１８の強度が向上する。
【００６４】
対向するパネル面３５ａとパネル面３５ｂとフランジ１９とは凹部を形成し、排水溝として働くので、排水パネル面３５に流れ込んだ雨水は、下り坂の排水パネル面３５を下って、排水溝としての凹部に流れ込み、外部に排水される。また、振動吸収性防水塗膜をウレタンゴムで形成する場合、ウレタン原液を該凹部に流しこんで凹部の底を覆い、重合反応を起こして固化させることにより、所望される振動吸収性防水塗膜を容易に形成することができる。  
【００６５】
図６に示す態様の実施例においては、隣り合うフランジ部１９ａ、１９ｂ全体を覆うように、振動吸収性防水塗膜３８が排水パネル面３５ａから排水用パネル面２０ｂに達するまでビルの屋上構造全体にわたって設けられていることにより、フランジ間の目地や、押さえ部材の隙間からの漏水が確実に防止され、さらに大きな地震が起きた場合であっても、振動吸収性防水塗膜３８が地震の揺れを吸収するので、個々のパネル、さらにビルの屋上構造全体の破壊を効果的に防ぐことができる。振動吸収性防水塗膜を形成する材料としては異臭を発生することが無いものを選択すべきであり、例えばウレタンゴムを用いることができる。また、特許文献４に開示されているビルの屋上構造に比べると、ガラス強化繊維による補強材に代えて、振動吸収性防水塗膜を形成することができるので、より耐震性に優れる振動吸収性防水塗膜を形成することができる。
【００６６】
図７に示す態様の実施例においては、隣り合うフランジ部１９ａ、１９ｂ全体を覆うように、第一の振動吸収性防水塗膜３８ａが排水パネル面３５ａから排水パネル面３５ｂに達するまでビルの屋上構造全体にわたって設けられ、さらにビルの屋上構造全体にわたって、第一の振動吸収性防水塗膜３８ａが第二の振動吸収性防水塗膜３８ｂにより覆われているので、フランジ間の目地や、押さえ部材の隙間からの漏水が確実に防止され、さらに大きな地震が起きた場合であっても、第一の振動吸収性防水塗膜３８ａ及び第二の振動吸収性防水塗膜３８ｂが地震の揺れを吸収するので、個々のパネル、さらにビルの屋上構造全体の破壊を効果的に防ぐことができる。また、振動吸収性防水塗膜が、第一の振動吸収性防水塗膜３８ａと第二の振動吸収性防水塗膜３８ｂとからなる二層構造を有するので、第一と第二のどちらかの振動吸収性防水塗膜に傷が入り損傷することがあっても、振動吸収性防水塗膜全体としては、防水性及び耐震性が損なわれることがない。第一及び第二の振動吸収性防水塗膜を形成する材料としては異臭を発生することが無いものを選択すべきであり、例えばウレタンゴムを用いることができる。また、特許文献４に開示されているビルの屋上構造に比べると、ガラス強化繊維による補強材に代えて、第一の振動吸収性防水塗膜を形成することができるので、より耐震性に優れる振動吸収性防水塗膜を形成することができる。
【００６７】
図６、図７に示す態様の実施例においては、敷きつめたパネル１８の隣り合うフランジ部１９とフランジ部１９の間に形成された目地の上、及び押え板の上を覆う絶縁シートが貼着されているので、振動吸収性防水塗膜、特にウレタンゴムを用いた振動吸収性防水塗膜を形成する際に、ウレタン原液が、パネル間の隙間やアンカボルトを打ち込んだ隙間などから漏出することを防止することができる。また、漏水をより確実に防水することができる。
【００６８】
また、図３に示すように、ほぼ正方形に定形化したパネル１８を敷きつめ、パネル１８をフランジ部１９から隆起させ、屋上の上面を凹凸にし、屋上を吹き流れる風の抵抗を大きくして、風の強さ（風圧）を弱めることと相俟って、隅パネルの整流効果と、剥離方向への曲げ強度を高めることにより、隅パネルの剥離をより確実に防止し、しいては屋上に張られたパネル１８全体の剥離も防止することができる。
【００６９】
また、図３に示すように、パネルの角や辺をアンカボルト２７と押え板２８を用いて固定することにより、パネルを用いたビルの屋上構造を容易に構築することができ、完成した屋上構造は長期間安定して維持されるものである。
【００７０】
図示はしないが、ビルの屋上構造全体が遮熱塗料で塗布されているので、紫外線による劣化が抑制され、使用可能年数が大幅に伸びる。
【符号の説明】
【００７１】
１ａ、１ｂ  従来のパネル
２  表面材
３  裏面材
４  断熱材
５  目地カバー取付け具
６  目地カバー
７  ねじ
８  アンカボルト
９  目地
１０  ビル屋上の床面
１１  ボード
１２  ボルト
１３  芯材
１４  目地板
１６  垂直壁
１７  隅パネル
１８  パネル
１９、１９ａ、１９ｂ  フランジ部
１９ｃ  フランジ部の内側周縁
２０、２０ａ、２０ｂ  パネル面
２３  錐体の稜線
２４  表皮
２５  断熱層
２５ａ  突起
２５ｃ  大きな突起
２５ｂ  通気層
２７  アンカボルト
２７ａ  アンカボルトの頭
２８、２８ａ、２８ｂ  押さえ板
３０  絶縁シート
３５、３５ａ、３５ｂ  排水パネル面
３５ｃ  排水パネル面３５の上側周縁
３６、３６ａ、３６ｂ  補強フランジ部
３７  斜面
３７ｃ  斜面の上側端縁
３８  振動吸収性防水塗膜
３８ａ  第一の振動吸収性防水塗膜
３８ｂ  第二の振動吸収性防水塗膜
【図１】
2019138039.tif 000003
【図２】
2019138039.tif 000004
【図３】
2019138039.tif 000005
【図４】
2019138039.tif 000006
【図５】
2019138039.tif 000007
【図６】
2019138039.tif 000008
【図７】
2019138039.tif 000009
【図８】
2019138039.tif 000010
【図９】
2019138039.tif 000011
【図１０】
2019138039.tif 000012